(57)【要約】【課題】  姿勢を変更して吊下げることができる梱包ケースを提供する。【解決手段】  箱状に組み立てられた状態で内部に被収容物を収容して梱包する梱包ケースにおいて、前記被収容物を内部に収容する本体部と、前記本体部の姿勢を変更して吊下げられるように、前記本体部に設けられる複数の吊下げ手段とを備える。【選択図】  図２
0003164493.tif 000002
【実用新案登録請求の範囲】
【請求項１】
箱状に組み立てられた状態で内部に被収容物を収容して梱包する梱包ケースにおいて、
前記被収容物を内部に収容する本体部と、前記本体部の姿勢を変更して吊下げられるように、前記本体部に設けられる複数の吊下げ手段とを備えることを特徴とする梱包ケース。
【請求項２】
前記本体部は、直方体形状を有し、前記複数の吊下げ手段は、第１の吊下げ手段と第２の吊下げ手段とからなり、前記第１の吊下げ手段は、直方体形状の前記本体部が縦向きになるように吊下げるべく設けられ、前記第２の吊下げ手段は、直方体形状の前記本体部が横向きになるように吊下げるべく設けられることを特徴とする請求項１に記載の梱包ケース。
【考案の詳細な説明】
【技術分野】
【０００１】
本考案は、梱包ケースに関し、特に、箱状に組み立てられた状態で内部に被収容物を収容して梱包する梱包ケースに関する。
【背景技術】
【０００２】
従来、店舗において、梱包ケースを利用して商品をディスプレイする場合、吊下げラック等に梱包ケースを吊下げている。吊下げラックには、複数の吊下げフックが備えられており、複数の商品が、該複数の吊下げフックのそれぞれに吊下げられることで販売されている。
【０００３】
梱包ケースは、吊下げフックに吊下げられるように、商品を収納する箱本体を吊下げるための吊下げ手段を有している。吊下げ手段には、吊下げフックを挿通するための吊下げ開口が設けられている（たとえば、特許文献１）。
【先行技術文献】
【特許文献】
【０００４】
【特許文献１】特開２００３−２７６７２９号公報
【考案の概要】
【考案が解決しようとする課題】
【０００５】
特許文献１における梱包ケースでは、吊下げ手段が一つしか設けられていないので、決まった姿勢でしか梱包ケースを吊下げることができない。そのため、商品を美しくディスプレイするべく、１つの吊下げラックに複数の梱包ケースを自在に吊下げるには限界がある。また、吊下げラックに複数種類の梱包ケースを吊下げようとすると、吊下げラックのスペースが足りずに、全ての梱包ケースを吊下げられない場合がある。
【０００６】
本考案は、斯かる事情に鑑み、姿勢を変更して吊下げることができる梱包ケースを提供することを課題とする。
【課題を解決するための手段】
【０００７】
本考案に係る梱包ケースは、箱状に組み立てられた状態で内部に被収容物を収容して梱包する梱包ケースにおいて、前記被収容物を内部に収容する本体部と、前記本体部の姿勢を変更して吊下げられるように、前記本体部に設けられる複数の吊下げ手段とを備えることを特徴とする。
【０００８】
斯かる構成によれば、本体部に複数の吊下げ手段を設けて、複数の吊下げ手段のそれぞれを利用して本体部を吊下げることで、姿勢を変更して本体部を吊下げることができる。
【０００９】
また、前記本体部は、直方体形状を有し、前記複数の吊下げ手段は、第１の吊下げ手段と第２の吊下げ手段とからなり、前記第１の吊下げ手段は、直方体形状の前記本体部が縦向きになるように吊下げるべく設けられ、前記第２の吊下げ手段は、直方体形状の前記本体部が横向きになるように吊下げるべく設けられてもよい。
【００１０】
斯かる構成によれば、第１の吊下げ手段を利用する場合には本体部を縦向きに吊下げることができるとともに、第２の吊下げ手段を利用する場合には本体部を横向きに吊下げることができる。これにより、吊下げる場所に応じて、縦向きまたは横向きのうち、より適した姿勢で本体部を吊下げることができる。
【考案の効果】
【００１１】
以上の如く、本考案に係る梱包ケースによれば、姿勢を変更して吊下げることができるというすぐれた効果を奏する。
【図面の簡単な説明】
【００１２】
【図１】同実施形態に係る梱包ケースの展開図を示す。
【図２】本考案の一実施形態に係る梱包ケースの斜視図を示す。
【図３】同実施形態に係る組み立て途中の梱包ケースの側方図を示す。
【考案を実施するための形態】
【００１３】
以下、本考案に係る梱包ケースにおける一実施形態について、図１〜図３を参酌して説明する。図１は、所定形状に構成される梱包ケース１の台紙を示す。図２は、台紙から形成される梱包ケース１の斜視図を示す。図３は、組み立て途中の梱包ケース１の側方図を示す。
【００１４】
梱包ケース１は、本体部３および吊下げ手段５を備える。本体部３は、直方体形状を有し、箱状に組み立てられた状態で内部に被収容物を収容する。本体部３は、被収容物を内部に収容するために、開閉可能な蓋を有する構成となっている。また、本体部３は、縦向きまたは横向きとすることができる。以下、本体部３が縦向きの場合を第１の姿勢、本体部３が横向きの場合を第２の姿勢として説明する。なお、梱包ケース１は、縦置きまたは横置きにされてもよい。
【００１５】
吊下げ手段５は、本体部３の姿勢を変更して吊下げられるように、本体部３に複数設けられる。なお、本実施形態では、吊下げ手段５を、２つの吊下げ手段として、第１の吊下げ手段７および第２の吊下げ手段９で説明する。
【００１６】
本体部３は、外周面を形成する第１〜第６の面１１、・・・２１を備える。また、本体部３は、蓋部分の隙間を埋める第１〜第６羽根部２３、・・・３３を備える。また、本体部３は、開閉可能な蓋を掛止する第１掛止手段３５および第２掛止手段３７を備える。また、本体部３は、台紙から箱状態を形成するために折り曲げられる折り曲げ線５３、・・・８７を備える。
【００１７】
第１の面１１は、第１構成面８９および第２構成面９１を有する。第１構成面８９は、長方形状を有し、折り曲げ線５３を介して第２の面１３に隣接されている。また、第１構成面８９は、折り曲げ線５４を介して第１連結部９３を有する。第２構成面９１は、長方形状を有し、第３の面１５に折り曲げ線５５を介して隣接されている。また、第２構成面９１は、折り曲げ線５６を介して第２連結部９５を有する。
【００１８】
梱包ケース１が組み立てられる場合に、第１連結部９３および第２連結部９５は、互いにその面を連結させるように構成される。この場合に、第１連結部９３は、第１構成面８９に対して折り曲げ線５４の位置で折り曲げられる。第２連結部９５は、第２構成面９１に対して折り曲げ線５６の位置で折り曲げられる。第１連結部９３と第２連結部９５とが連結されることで、第１構成面８９および第２構成面９１は、互いに隣接するように構成される。第１構成面８９および第２構成面９１が隣接するように構成されることで、第１の面１１は、長方形状になるように形成される。
【００１９】
第２の面１３は、長方形状を有し、折り曲げ線５７を介して第４の面１７に隣接されている。第２の面１３は、折り曲げ線６１を介して第６の面２１に隣接されている。第２の面１３は、第１の姿勢において、被収容物の詳しい情報を表示可能になっている。
【００２０】
第３の面１５は、長方形状を有し、折り曲げ線５９を介して第４の面１７に隣接されている。第３の面１５は、第５の面１９に折り曲げ線６５を介して隣接されている。梱包ケース１が組み立てられることで、第３の面１５は、第２の面１３と正対する面に位置する。第３の面１５は、第２の姿勢において、被収容物の詳しい情報を表示可能になっている。
【００２１】
第４の面１７は、長方形状を有する。第４の面１７は、幅方向（長手方向に直交する方向）の中央に設けられる折り曲げ線５８の位置で折り曲げ可能に構成されている。梱包ケース１が組み立てられることで、第４の面１７は、第１の面１１と反対の面に位置する。なお、第１連結部９３と第２連結部９５とが連結される場合に、梱包ケース１は、折り曲げ線５８の位置で折り曲げられることで、折り曲げ線５８を挟んで第２の面１３側と第３の面１５側とが折り重なるように構成される。これにより、梱包ケース１は、複数の梱包ケース１の重ね置きを可能なように構成されている。なお、梱包ケース１が縦置きされる場合、梱包ケース１は、第４の面１７を底面として縦置きされる。
【００２２】
第５の面１９は、長方形状を有する。第５の面１９は、第３の面１５の長手方向の長さと同一の長手方向の長さを有する。第５の面１９は、第３の面１５と折り曲げ線６５の位置で折り曲げられることで、開閉可能な１つめの蓋を形成するように構成されている。
【００２３】
第６の面２１は、長方形状を有する。第６の面２１は、第２の面１３の長手方向の長さと同一の長手方向の長さを有する。第６の面２１は、第２の面１３と折り曲げ線６１の位置で折り曲げられることで、開閉可能な２つめの蓋を形成するように構成されている。なお、梱包ケース１が横置きされる場合、梱包ケース１は、第４の面１７を底面として横置きされる。
【００２４】
第１羽根部２３は、方形状を有し、第１構成面８９に折り曲げ線６７を介して隣接されている。第１羽根部２３は、第１構成面８９と隣接する部分の長さを、第１構成面８９の短手側長さよりも短く構成されている。また第１羽根部２３は、第６の面２１と所定の間隔を開けるように構成されている。
【００２５】
第２羽根部２５は、Ｌ字型のかぎ状を有し、第２構成面９１に折り曲げ線６９を介して隣接されている。第２羽根部２５は、第２構成面９１と隣接する部分の長さを、第２構成面９１の短手側長さよりも短くなるように構成されている。梱包ケース１が組み立てられる場合に、第１構成面８９と第２構成面９１とが隣接するように構成されることで、第２羽根部２５は、Ｌ字型凹形状の部分に、第１羽根部２３を並設可能に構成されている。
【００２６】
第３羽根部２７は、方形状を有し、第１の面１１の第１構成面８９に折り曲げ線７１を介して隣接されている。第３羽根部２７は、第１構成面８９と隣接する部分の長さを、第１構成面８９の短手側長さよりも短く構成されている。また、第３羽根部２７は、第５の面１９と所定の間隔を開けるように構成されている。
【００２７】
第４羽根部２９は、Ｌ字型のかぎ状を有し、第１の面１１の第２構成面９１に折り曲げ線７３を介して隣接されている。第４羽根部２９は、第２構成面９１と隣接する部分の長さを、第２構成面９１の短手側長さよりも短くなるように構成されている。梱包ケース１が組み立てられる場合に、第１構成面８９と第２構成面９１とが隣接するように構成されることで、第４羽根部２９は、Ｌ字型凹形状の部分に、第３羽根部２７を並設可能に構成されている。
【００２８】
第５羽根部３１は、方形状を有し、第４の面１７に折り曲げ線７５を介して隣接されている。第５羽根部３１は、第４の面１７に設けられている折り曲げ線５８の延伸する折り曲げ線の位置で、折り曲げ可能に構成されている。
【００２９】
第６羽根部３３は、方形状を有し、第４の面１７に折り曲げ線７７を介して隣接されている。第６羽根部３３は、第４の面１７に設けられている折り曲げ線５８の延伸する折り曲げ線の位置で、折り曲げ可能に構成されている。梱包ケース１が組み立てられる場合に、第５羽根部３１と第６羽根部３３とは、対向に位置するように構成される。
【００３０】
第１掛止手段３５は、突出部４０、４２、および貫通孔４１を有する。第１掛止手段３５は、開閉可能な蓋として設けられる第６の面２１を、閉じた状態で掛止するべく構成される。
【００３１】
突出部４０は、長方形状を有し、第６の面２１に折り曲げ線７９を介して隣接されている。梱包ケース１が組み立てられる場合に、突出部４０は、折り曲げ線７９の位置で折り曲げられて、第６の面２１を閉じた状態にするべく、第３の面１５に掛止可能に構成される。突出部４０は、第３の面１５の内側に接することで、第３の面１５との摩擦力で第６の面２１を閉じた状態にする。
【００３２】
貫通孔４１は、折り曲げ線７９の同一線上に設けられる。貫通孔４１は、折り曲げ線７９の同一線上において、中央となる位置に長孔状に設けられる。貫通孔４１は、第６の面２１を掛止する場合に、突出部４２を挿通可能に構成されている。
【００３３】
突出部４２は、長方形状を有し、基部４３および凸部４４を含む。突出部４２は、第３の面１５から突出するように構成されている。
【００３４】
基部４３は、第３の面１５の端部から切り込まれて方形状に構成されている。また、基部４３は、折り曲げ線８１を介して、第３の面１５に隣接する。梱包ケース１が組み立てられ、突出部４０が第３の面１５に掛止されると、基部４３は、第３の面１５と面一で、突出部４０と対向可能に構成されている。
【００３５】
凸部４４は、基部４３と折り曲げ線８２を介して隣接されている。梱包ケース１が組み立てられる場合に、凸部４４は、折り曲げ線８２の位置で折り曲げられて、貫通孔４１に挿通されることで、第６の面１５を掛止可能に構成されている。
【００３６】
第２掛止手段３７は、突出部４５、４９、貫通孔４７、および貫通孔５１を有する。第２掛止手段３７は、開閉可能な蓋として設けられる第５の面１９を、閉じた状態で掛止するべく構成される。
【００３７】
突出部４５は、長方形状を有し、第５の面１９に折り曲げ線８３を介して隣接されている。梱包ケース１が組み立てられる場合に、突出部４５は、折り曲げ線８３の位置で折り曲げられて、貫通孔４７に挿通可能に構成される。突出部４５は、貫通孔４７に挿通されることで、第２の面１３に内側で接触する。突出部４５は、第２の面１３との摩擦力で第２の面１３を閉じた状態に掛止する。
【００３８】
貫通孔４７は、第２の面１３の長手側に沿って長孔状に構成されている。貫通孔４７は、突出部４５を挿通可能な長さを有する。
【００３９】
突出部４９は、長方形状を有し、基部４８および凸部５０を含む。突出部４９は、第２の面１３の長手側に突出するように構成されている。
【００４０】
基部４８は、第２の面１３の長手側から切り込まれて方形状に構成されている。また、基部４８は、折り曲げ線８５を介して第２の面１３に隣接する。梱包ケース１が組み立てられ、突出部４５が第２の面１３に掛止されると、基部４８は、第２の面１３と面一で、突出部４５と対向可能に構成される。
【００４１】
凸部５０は、基部４８と折り曲げ線８７を介して隣接されている。梱包ケース１が組み立てられる場合に、凸部５０は、折り曲げ線８７の位置で折り曲げられて、貫通孔５１に挿通されることで、第５の面１９を掛止可能に構成されている。
【００４２】
貫通孔５１は、第５の面１９および突出部４５との間に構成され、折り曲げ線８３の同一線上に設けられる。貫通孔５１は、折り曲げ線８３の同一線上において、第６の面２１の長手側の中央となる位置に長孔状に構成される。貫通孔５１は、第５の面１９を掛止する場合に、突出部４９を挿通可能に構成されている。
【００４３】
吊下げ手段５は、第１の吊下げ手段７と、第２の吊下げ手段９と、折り曲げ線１２１、・・・１２７とを備える。
【００４４】
第１の吊下げ手段７は、第１連結部９３および第２連結部９５を利用して構成される。また、第１の吊下げ手段７は、第１連結部９３の中央に、貫通孔９７を有し、第２連結部９５の中央に、貫通孔９９を有する。
【００４５】
梱包ケース１が組み立てられる場合に、第１連結部９３は、折り曲げ線５４の位置で第１構成面８９から折り曲げられ、第２連結部９５は、折り曲げ線５６の位置で第２構成面９１から折り曲げられる構成となっている。
【００４６】
貫通孔９７および９９は、第１連結部９３および第２連結部９５の連結で一致するように構成される。梱包ケース１が組み立てられる場合に、貫通孔９７および９９は、一致して吊下げラック（図示しない）の吊下げフック（図示しない）を挿通可能なように構成されている。また、貫通孔９７および９９は、吊下げフックを挿通することで、梱包ケース１を第１の姿勢で吊下げ可能に構成されている。
【００４７】
第２の吊下げ手段９は、基部１０１と、第１から第３舌片１０３、１０５、１０７と、貫通孔１０９とを有する。
【００４８】
基部１０１は、第２の面１３の長手側に、折り曲げ線１２１を介して連結される状態で隣接されている。また、基部１０１は、貫通孔４７に隣接され、凸部５０が形成される位置に凸部５０と同形状の切欠けを有する。
【００４９】
第１舌片１０３は、折り曲げ線１２３を介して、基部１０１から突出して形成されている。第１舌片１０３は、第１吊り部１１１、第２吊り部１１３、抜け止め部１１５、貫通孔１１７、および貫通孔１１９を含む。
【００５０】
第１吊り部１１１は、方形状を有する。第１吊り部１１１は、折り曲げ線１２３を介して基部１０１に隣接されている。
【００５１】
第２吊り部１１３は、方形状を有する。第２吊り部１１３は、折り曲げ線１２５を介して第１吊り部１１１に隣接されている。梱包ケース１が組み立てられる場合に、第１吊り部１１１および第２吊り部１１３は、折り曲げ線１２５の位置で折り曲げられて、折り重なるように構成される。また、第１吊り部１１１および第２吊り部１１３は、折り曲げ線１２５で線対称になっており、折り重なることで、縁が一致する形状となるように構成される。
【００５２】
抜け止め部１１５は、方形状を有し、折り曲げ線１２７を介して第２吊り部１１３に隣接されている。抜け止め部１１５は、その長手方向の長さを、折り曲げ線１２７の長さよりも長くなるように構成される。また、梱包ケース１が組み立てられる場合に、抜け止め部１１５は、その両端部のそれぞれを、第２舌片１０５および第３舌片１０７のそれぞれの内側に位置して重ねられるように構成される。
【００５３】
貫通孔１１７は、第１吊り部１１１の中央に設けられる。貫通孔１１９は、第２吊り部１１３の中央に設けられる。貫通孔１１７および１１９は、第１吊り部１１１および第２吊り部１１３を折り重ねることで、一致するように構成される。梱包ケース１が組み立てられる場合に、貫通孔１１７および１１９は、吊下げラック（図示しない）の吊下げフックを挿通可能なように構成されている。また、貫通孔１１７および１１９は、吊下げフックを挿通することで、梱包ケース１を第２の姿勢で吊下げ可能に構成されている。
【００５４】
第２舌片１０５は、方形状を有し、基部１０１から突出して構成される。第２舌片１０５は、基部１０１を延伸することで形成され、第１舌片１０３と隣接して構成される。
【００５５】
第３舌片１０７は、方形状を有し、基部１０１から突出して構成される。第３舌片１０７は、基部１０１を延伸することで形成され、第１舌片１０３と隣接して形成される。
【００５６】
梱包ケース１が組み立てられる場合に、第２舌片１０５および第３舌片１０７は、第２吊り部１１３から折り曲げ線１２７の位置で折り曲げられる抜け止め部１１５を係止可能に構成されている。
【００５７】
貫通孔１０９は、第５の面１９の中央に、第５の面１９の長手方向に沿う長孔として形成される。貫通孔１０９は、基部１０１から折り曲げ線１２３の位置で折り曲げられる第１吊り部１１１と、第１吊り部１１１から折り曲げ線１２５の位置で折り曲げられる第２吊り部１１３とを挿通可能に形成されている。
【００５８】
本実施形態に係る梱包ケース１の構成については以上の通りであり、次に、本実施形態に係る梱包ケース１の梱包方法について説明する。
【００５９】
梱包ケース１は、図１のように、台紙で形成されている。梱包ケース１は、折り曲げ線５８の位置で折り曲げられることで、折り重ねられる。梱包ケース１は、折り重ねられた第１連結部９３および第２連結部９５が連結されることで、筒状となる。第１連結部９３および第２連結部９５は、対向する面を糊付けすることで連結される。第１連結部９３および第２連結部９５は、貫通孔９７および貫通孔９９を一致させるように連結される。
【００６０】
第１連結部９３および第２連結部９５を連結した後に、第１の面１１、第２の面１３、第３の面１５が形成される。第１の面１１は、第２の面１３から第１構成面８９を折り曲げ、第１構成面８９から第１連結部９３を折り曲げるとともに、第３の面１５から第２構成面９１を折り曲げ、第２構成面９１から第２連結部９５を折り曲げることで形成される。なお、第１連結部９３が折り曲げ線５４の位置で第１構成面８９から折り曲げられ、第２連結部９５が折り曲げ線５６の位置で第２構成面９１から折り曲げられることで、第１の吊下げ手段７も形成される。第１の吊下げ手段７は、第１の面１１から外方向に突出するように形成される。
【００６１】
第２の面１３は、第４の面１７から折り曲げ線５７の位置を折り曲げることで形成される。第３の面１５は、第４の面１７から折り曲げ線５９の位置を折り曲げることで形成される。第４の面１７は、折り曲げ線５８の位置の折り曲げられている状態を元に戻すことで形成される。
【００６２】
第１の面１１、第２の面１３、第３の面１５、および第４の面１７が形成されることで、梱包ケース１は、被収容物を収容可能になる。梱包ケース１は、第１の面１１、第２の面１３、第３の面１５および第４の面１７のそれぞれの端部で構成される開口から被収容物を収容する。
【００６３】
梱包ケース１が被収容物を収容した後に、第１〜第６羽根部２３、・・・２９が本体部３側に折り曲げられる。第１羽根部２３は第１構成面８９から、折り曲げ線６７の位置で折り曲げられる。第２羽根部２５は、第２構成面９１から、折り曲げ線６９の位置で折り曲げられる。第３羽根部２７は、第１構成面８９から、折り曲げ線７１の位置で折り曲げられる。これにより、梱包ケース１は、図３に示すようになる。
【００６４】
第４羽根部２９は、第２構成面９１から、折り曲げ線７３の位置で折り曲げられる。第５羽根部３１は、第４の面１７から、折り曲げ線７５の位置で折り曲げられる。第６羽根部３３は、第４の面１７から、折り曲げ線７７の位置で折り曲げられる。
【００６５】
第１〜第６羽根部２３、・・・２９が折り曲げられた後、第６の面２１が蓋として閉じられる。まず、突出部４０は、第６の面２１から折り曲げ線７９の位置で折り曲げられる。第６の面２１は、第２の面１３から、折り曲げ線６１の位置で折り曲げられる。これにより、突出部４０は、本体部３の内部側から第３の面１５に係止される。第６の面２１が掛止されることで、第１、第２、および第５羽根部２３、２５、３１は、第６の面２１の内側に係止されて、本体部３内への埃の侵入を防止する。
【００６６】
第６の面２１が意に反して開くことを防止することを目的として、第１掛止手段３５は、第６の面２１を掛止する。基部４３は、第３の面１５から折り曲げ線８１の位置で折り曲げられる。凸部４４は、基部４３から、折り曲げ線８２の位置で折り曲げられる。凸部４４は、貫通孔４１に挿入されて、第６の面２１を掛止する。
【００６７】
第６の面２１が掛止された後、第２の吊下げ手段９が形成されると共に、第５の面１９が蓋として閉じられる。まず、第１吊り部１１１は、基部１０１から折り曲げ線１２３の位置で折り曲げられる。第２吊り部１１３は、第１吊り部１１１から折り曲げ線１２５の位置で折り曲げられる。そして、抜け止め部１１５は、第２吊り部１１３から折り曲げ線１２７の位置で折り曲げられる。抜け止め部１１５のそれぞれの長手側端部は、第２舌片１０５および第３舌片１０７の本体部３の内側に重ねられることで係止される。その後、基部１０１は、第２の面１３から折り曲げ線１２１の位置で折り曲げられる。
【００６８】
第５の面１９を蓋として閉じることを目的として、突出部４５は、第５の面１９から折り曲げ線８３の位置で折り曲げられる。第５の面１９が折り曲げ線８３の位置で折り曲げられることで、第５の面１９は、第３の面１５から折り曲げられる。第５の面１９が折り曲げられることで、第１吊り部１１１および第２吊り部１１３は、貫通孔１０９に挿通される。
【００６９】
そして、第５の面１９は、第２の面１３に本体部３の内側から掛止される。第５の面１９が掛止されることで、第３、第４、および第６羽根部２７、２９、３３は、第５の面１９の内側に係止されて、本体部３内への埃の侵入を防止する。また、第５の面１９が第２の面１３に掛止されることで、貫通孔１０９に挿通された第１吊り部１１１および第２吊り部１１３は、第２の吊下げ手段９になる。第２の吊下げ手段９は、第５の面１９から外部に突出するように形成される。
【００７０】
第５の面１９が意に反して開くことを防止することを目的として、第２掛止手段３７で第５の面１９を掛止する。基部４８は、第２の面１３から折り曲げ線８５の位置で折り曲げられる。凸部５０は、基部４８から、折り曲げ線８７の位置で折り曲げられる。凸部５０は、貫通孔５１に挿入されて、第５の面１９を掛止する。
【００７１】
第５の面１９および第６の面２１が掛止されることで、梱包ケース１は、箱状になる。また、第１の吊下げ手段７は、第１の面１１に形成され、第２吊り下げ手段９は、第５の面１９に形成される。
【００７２】
以上より、本実施形態に係る梱包ケース１は、姿勢を変更して吊下げることができる。それにより、吊下げラックに用意される収納スペースに応じて、梱包ケース１を適切に吊下げることができる。また、吊下げラックに梱包ケース１を吊下げる場合の自由度が広がり、より美しいディスプレイを実現できる。
【００７３】
なお、本考案に係る梱包ケースは、上記した実施の形態に限定されるものではなく、本考案の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００７４】
例えば、本考案に係る梱包ケース１においては、第２の面１３は、第２の姿勢において、被収容物の詳しい情報を表示可能になっていてもよい。そして、第３の面１５は、第１の姿勢において、被収容物の詳しい情報を表示可能になっていても良い。これにより、第１の吊下げ手段７および第２の吊下げ手段９の何れを利用する場合であっても、詳しい商品の情報を見やすく表示できる。
【００７５】
また、梱包ケース１が第１の姿勢で吊下げられる場合、第２吊り部１１３は、第１吊り部１１１から折り曲げ線１２５の位置で、基部１０１の本体部３側に折り曲げられても良い。この場合、第１吊り部１１１は、基部１０１から折り曲げ線１２３の位置で折り曲げられない。これにより、第１吊り部１１１および第２吊り部１１３は、本体部３に収容され、貫通孔１０９から突出しないので、吊下げラックの収容スペースを、より有効に利用することができる。また、吊下げラックに梱包ケース１を吊下げる場合の自由度が広がり、より美しいディスプレイを実現できる。
【符号の説明】
【００７６】
１  梱包ケース
３  本体部
５  吊下げ手段
７  第１の吊下げ手段
９  第２の吊下げ手段
１１〜２１  第１〜第６の面
２３〜３３  第１〜第６羽根部
３５  第１掛止手段
３７  第２掛止手段
４０、４２、４５、４９  突出部
４１、４７、５１、９７、９９、１０９、１１７、１１９  貫通孔
４３、４８、１０１  基部
４４、５０  凸部
５３〜８７、１２１〜１２７  折り曲げ線
８９  第１構成面
９１  第２構成面
９３  第１連結部
９５  第２連結部
１０３〜１０７  第１〜第３舌片
１１１  第１吊り部
１１３  第２吊り部
１１５  抜け止め部
【図１】
0003164493.tif 000003
【図２】
0003164493.tif 000004
【図３】
0003164493.tif 000005